(57)【要約】【課題】見守り対象者の滞在データを携帯情報端末に表示させる場合、携帯情報端末の画面の制約によって滞在データを表示することは難しいという課題がある。【解決手段】見守り対象者宅内に配置されたセンサによって見守り対象者の在宅時間を検知する。センサからの出力に基づいて、所定時間帯ごとにおける見守り対象者の在宅時間のランクが判定され、携帯情報端末の画面に判定されたランクが表示される。【選択図】　図３
2004133700.tif 000002
【特許請求の範囲】
【請求項１】
見守り対象者の在宅時間を検知した情報を受信して表示する携帯情報端末であって、
所定長の時間帯ごとに、前記在宅時間の長さに応じたランクが表示されることを特徴とする携帯情報端末。
【請求項２】
前記見守り対象者の行動のいずれかを指定行動として予め選定しておき、見守り対象者の指定行動が検知された場合は、
前記所定長の時間帯ごとに、前記指定行動を示す表示も行うことを特徴とする請求項１に記載の携帯情報端末。
【発明の詳細な説明】
【０００１】
【発明の属する技術分野】
この発明は、独居高齢者等の見守り対象者の在宅時間のランクを表示する携帯情報端末に関する。
【０００２】
【従来の技術】
高齢社会が到来し、独居高齢者等（以下、見守り対象者）のケアが問題化しており、常日頃から見守り対象者の健康状態を把握しておくことが重要となっている。
【０００３】
このような視点から、見守り対象者の生活を見守るシステムが公表されている。それによれば、見守り対象者宅内に配置したセンサを用いて見守り対象者の在宅を検知し、親族や介護センタ等の見守り関係者の端末に日時を含んだ在宅時間データを配信できるようになっている（例えば、特許文献１参照。）。
配信画面には、見守り対象者の１日の各時刻における在宅時間データが色分けされた帯状の図として表示され、見守り関係者は、この帯図によって各時間帯での見守り対象者の在宅時間を把握することができる。
【０００４】
【特許文献１】
特開２００２−０７４５６１号公報
【０００５】
【発明が解決しようとする課題】
しかし、在宅時間データを表示する端末がＷｅｂ機能付き携帯電話などの携帯情報端末である場合、携帯情報端末は画面の大きさや解像度などの制約のために表示できる情報量が比較的少ないので、従来のパソコン画面用の在宅時間データを表示することは難しいという課題がある。
【０００６】
そこで本発明は、前記課題に鑑み、所定長の時間帯ごとの見守り対象者の在宅時間や行動を容易に把握できるように表示する携帯情報端末を提供することを目的とする。
【０００７】
【課題を解決するための手段】
前記課題を解決するため、請求項１に記載の発明は、見守り対象者の在宅時間を検知した情報を受信して表示する携帯情報端末であって、所定長の時間帯ごとに、前記在宅時間の長さに応じたランクが表示されることを特徴とする携帯情報端末としている。
【０００８】
これによって、見守り関係者は携帯情報端末を用いて外出先でも見守り対象者の在宅時間を容易に把握することができる。また、各時間帯ごとに見守り対象者の在宅時間のランクの高さが表示されているので、見守り対象者は、表示できる情報量が比較的少ない携帯情報端末を用いても見守り対象者の在宅時間の概要を把握することができる。
【０００９】
請求項２に記載の発明は、前記見守り対象者の行動のいずれかを指定行動として予め選定しておき、見守り対象者の指定行動が検知された場合は、前記所定長の時間帯ごとに、前記指定行動を示す表示も行うことを特徴とする請求項１に記載の携帯情報端末としている。
【００１０】
これによって、見守り関係者は、見守り対象者がトイレに行く等といった指定行動を把握でき、より一層見守り対象者の行動を詳細に把握することができる。
【００１１】
【発明の実施の形態】
以下、本発明の第１の実施形態を図面を参照して説明する。
なお、本明細書全体を通じて、時間帯とは、１日のうちのある時刻からある時刻までの一定の幅の時間を示したものを指す。
図１は、見守り対象者の生活を遠隔で見守るテレケアシステムＳを示したものである。テレケアシステムＳは、見守り対象者宅１内に備えられた見守り主装置１１と、ホストコンピュータ３とが通信ネットワーク２で接続されている。
【００１２】
見守り主装置１１には複数のセンサ１２ａ〜１２ｃが接続されており、各センサ１２ａ〜１２ｃは見守り対象者宅１内の居間、トイレ、玄関に１つずつ配置されている。これらのセンサ１２ａ〜１２ｃは、人体から発せられる赤外線に感応する赤外線センサで構成され、それぞれのセンサの配置場所での見守り対象者の滞在を検知する。センサの検知期間は限定せず、可能な限り永続的に行なう。
【００１３】
見守り主装置１１には計算部１３と判定部１４とを有しており、計算部１３は見守り対象者の滞在時間の合計を在宅時間として算出し、判定部１４は計算部１３からの出力に基づいて見守り対象者の在宅時間のランクを判定する。
また、判定部１４によって判定されたランクはホストコンピュータ３に随時送信される。
【００１４】
ここで、計算部１３と判定部１４が行う役割について説明する。
計算部１３は、見守り対象者宅１内に配置されたセンサからの出力に基づいて、各時間帯ごとにセンサ配置場所での見守り対象者の在宅時間の合計を算出する。そして引き続いて計算部１３は、算出された在宅時間の合計が、算出の基準になった各時間帯の時間幅の中に占める割合を算出する。
例えば、１時間の時間幅のある時間帯において、居間のセンサ１２ａ、トイレのセンサ１２ｂ、玄関のセンサ１２ｃが、それぞれ見守り対象者の滞在を１２分間、３分間、３分間ずつ検知したとする。このとき、計算部１３は、見守り対象者の滞在を検知した時間の合計を１８分間と算出する。また、算出の基準になった時間帯の長さは１時間（６０分間）なので、計算部１３は、１時間の中に占める１８分間の割合を３０％と算出する。
【００１５】
判定部１４は、計算部１３からの出力に基づいて、計算部１３が各時間帯ごとに算出した割合を５段階のランクに判定する。
具体的には、判定部１４は、計算部１３が算出した割合に対して、
2004133700.tif 000003
と判定する。
例えば、上記の例では計算部１３が算出した割合が３０％なので、判定部１４はランク１と判定する。
【００１６】
計算部１３及び判定部１４は、見守り対象者の在宅時間のランクを判定した後、その時間帯での見守り対象者の在宅時間や判定結果をリセットする。そして次の時間帯での見守り対象者の在宅時間の合計や割合を計算部１３が計算し、判定部１４が見守り対象者の在宅時間のランクを判定する。
上記のように見守り主装置１１によって判定された各時間帯ごとの在宅時間のランクは、ホストコンピュータ３の蓄積機能によって随時蓄積される。
【００１７】
携帯情報端末４は、見守り関係者によってホストコンピュータ３に通信ネットワーク２を介してアクセス信号を発信する。このアクセス信号に応答して、ホストコンピュータ３は、蓄積された見守り対象者の在宅時間のランクに基づいて在宅時間のランク等の表示内容を作成し、さらに作成した表示内容を通信ネットワーク回線２を介して見守り関係者の携帯情報端末４に配信する。
このように携帯情報端末４からホストコンピュータ３にアクセスすることによって、見守り関係者は見守り対象者の在宅時間のランクを閲覧することができる。
【００１８】
携帯情報端末４は、所定長の時間帯ごとの見守り対象者の在宅時間のランクを表示する。
表示する方法は特に限定されないが、本実施の形態では、表形式による見守り対象者の在宅時間のランクの表示について説明する。
【００１９】
図２〜図４に携帯情報端末４の表示例を示す。
図２は携帯情報端末４に見守り対象者の在宅時間の表を表示させたもので、図３、４は携帯情報端末４の表示画面４０の表示内容５０である。
【００２０】
図３に示すように、表示内容５０には在宅時間一覧表５１が含まれる。在宅時間一覧表５１は、主時刻欄５２とランク表示欄５３からなっており、主時刻欄５２のそれぞれの欄には１日の時間を１時間ごとに２４個の時間帯に区切られたものを示している。
例えば、在宅時間一覧表５１において、主時刻欄５２が２４時間表示で「０５」を示すランク表示欄５３は、午前５時台における見守り対象者の在宅時間のランクを示す。なお、午前５時台とは、午前５時００分００秒から午前５時５９分５９秒までの６０分間を示し、以後、同様に表現する。
【００２１】
ランク表示欄５３には、黒丸の数によって、見守り主装置１１の判定部１４が判定したランクが表示される。この黒丸の数はランクの高さを示し、ランクが高くなるにつれて多くの数の黒丸が表示される。
例えば、ランク１のときは１個の黒丸、ランク２のときは２個の黒丸、ランク３の時は３個の黒丸が表示される。なお、ランク０のときは１個の白丸が表示される。
【００２２】
ここで、図３の在宅時間一覧表５１に表示される見守り対象者の在宅時間のランクの具体例を挙げて説明する。
例えば、午前８時台のランク表示欄５３には３個の黒丸が表示されている。この３個の黒丸は、午前８時台の在宅時間のランクが３であることを示している。このことから、午前８時台における見守り対象者の在宅時間は、１時間の６０％〜８０％、すなわち３６〜４８分間であることが分かる。
同様に、午前１０時台のランク表示欄５３には２個の黒丸が表示されている。このことから、午前１０時台における見守り対象者の在宅時間は、２４〜３６分間であることが分かる。
【００２３】
最新の在宅時間のランクを在宅時間一覧表５１に表示するとき、現在時刻で判定された見守り対象者の在宅時間を示すランクが表示される。また、在宅時間一覧表５１の各欄には、現在及び過去の在宅時間のランクが表示されており、現在以降の時間の欄は空欄で表示される。なお、携帯情報端末４が表示できる情報量に応じて現在以降の時間の欄は表示されなくてもよい。
【００２４】
図３、４の表示内容５０の下側にはＴＯＰボタン５４が設けられている。このＴＯＰボタン５４を選択すると、表示中の表示画面４０が表示内容５０の先頭の表示に切り替わる。
【００２５】
在宅時間一覧表５１は、一覧表示する日数を半日や１日に限らず広い範囲で任意に選択できるようになっていてもよい。表示する情報量が多くて同一の画面にすべての情報を表示できない場合には、在宅時間一覧表５１の並び方向（上下）にスクロールすることによって在宅時間一覧表５１の全体を表示できるようになっているのが望ましい。
【００２６】
表示画面４０は所定長の時間帯での見守り対象者の在宅時間のランクを把握できればよく、携帯情報端末４が表示できる情報量に応じて様々な表示を行うことができる。例えば、携帯情報端末４が表枠５６を表示することが困難なとき、図４のように、図３における在宅時間一覧表５１の表枠５６を表示しないことができる。このとき、主時刻欄５２とランク表示欄５３とがそれぞれ容易に判別できるように配置しているのが望ましい。
【００２７】
表の枠を表示しないで見守り対象者の在宅時間のランクを表示することによって、通信時のデータ量が小さくて済むとともに、画面に制約がある携帯情報端末でも容易に表示することができる。
【００２８】
次に、本発明の第２の実施形態を、図面を参照して説明する。
なお、以下の実施形態において、先行して説明した実施形態と同様の構成に関しては図面に同一符号を付して説明を省略する。
見守り対象者の行動のいずれかを指定行動として見守り主装置１１の判定部１４に予め登録しておくことによって、判定部１４は、センサからの出力に基づいて見守り対象者の指定行動の有無を判定する。
【００２９】
なお、所定長の時間帯において、見守り対象者が指定行動を行った時間や回数は特に限定されず、見守り対象者が指定行動を行ったとき、判定部１４は、その時間帯において見守り対象者が指定行動を行ったと判定する。
また、指定行動を２つ以上登録した場合、判定部１４は、それぞれの指定行動ごとに判定を行う。
【００３０】
判定部１４が行う指定行動の判定の具体例を挙げて説明する。
例えば、見守り対象者が風呂場に行くことを指定行動として予め登録しておく。このとき、所定長の時間帯において、風呂場に別途設けたセンサ１２ｄが見守り対象者を検知した場合、判定部１４はその時間帯に見守り対象者が風呂場に行ったと判定する。
【００３１】
また、見守り主装置１１の判定部１４は見守り対象者の外出を判定する。
例えば、玄関のセンサ１２ｃが見守り対象者を検知した後、所定の外出確定時間（例えば３０分）が経過するまで見守り対象者宅１内のセンサが何れも記見守り対象者を検知しなかったとき、判定部１４は見守り対象者が外出したと判定する。その後、玄関のセンサ１２ｃが見守り対象者を検知した後、玄関以外の見守り対象者宅１内のセンサのいずれかが見守り対象者を検知したとき、判定部１４は見守り対象者が帰宅したと判定する。
【００３２】
見守り主装置１１は、見守り対象者の指定行動を判定した後、その時間帯での指定行動の判定結果をリセットし、次の時間帯での見守り対象者の指定行動を判定する。
【００３３】
上記のように判定部１４によって判定された見守り対象者の指定行動は、見守り対象者の在宅時間のランクと共にホストコンピュータ３の蓄積機能によって随時蓄積される。更に、ホストコンピュータ３は、蓄積された見守り対象者の在宅時間のランクと指定行動に基づいて表示内容を作成し、通信ネットワーク２を通じて見守り関係者の携帯情報端末４に配信を行う。
【００３４】
図５に携帯情報端末４の表示例を示す。
図５は、第２の実施形態における携帯情報端末４の表示画面４０の表示内容である。
【００３５】
図５に示すように、表示画面４０の在宅時間一覧表５１には、見守り対象者の在宅時間のランクとともに、見守り対象者の指定行動を示す指定行動表示記号が表示される。
【００３６】
指定行動表示記号は、見守り対象者の在宅時間のランクの右側にそれぞれ１文字の漢字で表示される。この１文字の漢字は、見守り対象者宅１内のセンサの出力に基づいて判定部１４が判定した各１時間ごとの指定行動を表示している。
つまり、１文字の漢字とは、見守り対象者の指定行動に応じて、
風呂場に行く→「風」
トイレに行く→「便」
外出する→「外」
等と表示したものである。
なお、これらの指定行動表示記号６１〜６３は漢字のみに限定されず、平仮名、片仮名、アルファベット、絵文字などで表示されてもよい。
【００３７】
図５の在宅時間一覧表５１に表示される１文字の漢字の具体例を示す。
例えば、午前６時台の欄に「風」と示された指定行動表示記号６１は、見守り対象者が午前６時台に風呂場に行ったことを示し、午前７時台の欄に「便」と示された指定行動表示記号６２は、見守り対象者が午前７時台にトイレに行ったことを示している。
同様に、午前１０時台から午後０時台の欄に「外」と示された指定行動表示記号６３は、見守り対象者が午前１０時台から午後０時台まで外出していることを示している。
このように指定行動を予め見守り主装置１１の判定部１４に登録することによって、見守り関係者は、見守り対象者の行動をより詳細に把握することができる。
なお、指定行動表示記号の説明を表示内容５０に別途設けるのが望ましい。
【００３８】
また、主時刻欄で示される所定長の時間帯の幅は１時間に限られず、様々な時間帯の幅を設けることができる。
図６のように、主時刻欄で示される時間帯の幅を６時間としてもよい。このとき、それぞれの基準の時間帯の幅を６時間とした在宅時間のランクが算出される。
【００３９】
図７のように、縦軸に主時刻欄５２、横軸に詳細時刻欄５５の２つの軸からなる在宅時間一覧表５１の各欄に見守り対象者の在宅時間のランクをそれぞれ表示してもよい。図７の主時刻欄５２は６時間の時間帯の幅を示し、詳細時刻欄５５は主時刻欄で示される６時間の時間帯を更に１時間ごとに６個の時間帯に区切られた時間帯の幅を示している。なお、詳細時刻欄５５は、１時間ごとに区切られた各時間帯が左側から時系列の順に並べられている。
例えば、図７の在宅時間一覧表５１において、主時刻欄５２が「００」を示す行の一番左の欄は午前０時から午前１時までの時間帯を示している。また、主時刻欄５２が「０６」を示す行の左から３番目の欄は午前８時から午前９時までの時間帯を示している。
【００４０】
図７の在宅時間一覧表５１の各欄には黒丸、白丸又は指定行動表示記号のいずれかが表示される。黒丸は、計算部１３によって算出された在宅時間の割合が５０％以上のときに表示され、白丸は、在宅時間の割合が５０％未満のときに表示される。また、見守り対象者が指定行動を行ったとき、図７の在宅時間一覧表５１の各欄には、在宅時間のランクの高さを示す黒丸や白丸に代えて一文字の指定行動表示記号が表示される。
【００４１】
見守り対象者の指定行動は上記の行動のみに限られず、見守り対象者宅１内に別途センサを配置することによって様々な見守り対象者の行動を把握することができる。
例えば、見守り対象者宅１内のテレビ、冷蔵庫等の電気製品や、ガス、水道等の生活設備にセンサを配置し、電気製品や生活設備を使用することを指定行動として設定しておくことによって、見守り関係者は、見守り対象者の生活をより一層詳細に把握することができる。
【００４２】
また、図７において、見守り対象者が指定行動を行ったことを示す表示を行うとき、指定行動表示記号に代えて、見守り対象者の在宅時間のランクと指定行動の両方を把握できる記号を用いてもよい。このとき、用いた記号の意味を別途表示することが望ましい。
なお、カラーで表示できる携帯情報端末を用いる場合、色別で見守り対象者の在宅時間のランクや指定行動を区別して表示できるようにしてもよい。
【００４３】
本発明は、上述の実施形態に限定されるものではなく、種々の改変が可能である。例えば、ホストコンピュータ３の機能を見守り主装置１１に設けて、見守り主装置１１が見守り対象者の在宅時間を判定し、携帯情報端末４に配信してもよい。
【００４４】
見守り対象者の在宅時間の表示は、表を用いた表示のみに限られず、文字列などを用いた表示を行ってもよい。
表示内容５０に日付選択欄を別途設けて当日以外の日を表示できるようにしてもよい。また、指定行動表示記号は１文字の記号に限られず、場合によって２文字以上の記号を用いた表示を行ってもよい。
【００４５】
ランクを示す記号の形状は、黒丸や白丸等の円形に限らず、多角形や星型などの記号でもよい。また、見守り主装置１１によってランク０と判定されたときは空欄を表示してもよい。
【００４６】
見守り主装置１１の判定部１４が行う判定は５段階又は２段階に限られず、２段階以上の任意の段階のランクに判定してもよい。なお、在宅時間のランクを判定する基準を随時変更できるのが望ましい。
また、判定部１４によって判定されたランクは、そのランクごとに異なる形状の記号で表示されてもよい。このとき、それぞれの形状がどのランクを示すのかを示す表示を別途設けるのが望ましい。
表示画面４０に表示される画面は携帯情報端末が表示できる情報量に応じて表示内容５０を切り替え可能にしてもよい。このとき、現在表示している画面を切り替えるために、表示切替ボタンを別途設けるのが望ましい。
【００４７】
通信ネットワーク２は特に限定されず、有線、無線を問わず、ＩＳＤＮ網、ＩＰ網、アナログ電話網などの情報通信回線であれば良い。
また、見守り対象者の在宅時間のランクを示す表示内容を配信する方法は特に限定されず、この表示内容を直接配信するだけでなく、この表示内容を表示するＷｅｂのアドレスを配信したり、電子メールで配信しても構わない。さらに、定期的に表示内容を携帯情報端末４に配信するようにしてもよい。
【００４８】
在宅時間一覧表５１は、表示される時間帯の幅は１時間又は６時間に限られず、必要に応じて在宅時間一覧表５１の各欄に示される時間帯の幅を設定してもよい。例えば、夜間を示す時間帯の幅を３時間とし、昼間を示す時間帯の幅を２０分と設定してもよい。
【００４９】
見守り対象者宅１内に配置するセンサは人体から発せられる赤外線に感応する赤外線センサに限られず、センサは人体の体重を検知するセンサや体温を検知するセンサや生活音を検知するセンサ等、人体の滞在を検知するセンサであれば特に限定されない。
【００５０】
【発明の効果】
以上説明したように、本発明によれば、携帯情報端末は見守り対象者の在宅時間の長さに応じて分けられたランクを表示するので、表示できる情報量が比較的小さな携帯情報端末でも見守り対象者の在宅時間のランクを表示することができる。
また、本発明の携帯情報端末は見守り対象者の指定行動も表示するので、見守り関係者は、見守り対象者の行動をより詳細に把握することができる。
【図面の簡単な説明】
【図１】本発明の第１の実施形態に係る生活見守りシステムの概略構成図である。
【図２】上記見守りシステムにおける携帯情報端末に見守り対象者の在宅時間を表示した図である。
【図３】上記携帯情報端末における表示内容の一例の図である。
【図４】図３の表示内容の異なる表示例の図である。
【図５】本発明の第２の実施形態に係る携帯情報端末の表示内容の一例の図である。
【図６】上記携帯情報端末における表示内容の一例の図である。
【図７】上記携帯情報端末における表示内容の一例の図である。
【符号の説明】
Ｓ　テレケアシステム
１　見守り対象者宅
１１　見守り主装置
１２ａ〜１２ｅ　人感センサ
２　通信ネットワーク
３　ホストコンピュータ
４　携帯情報端末
４０　表示画面
５０　表示内容
５１　在宅時間一覧表
５２　主時刻欄
５３　ランク表示欄
５４　ＴＯＰボタン
５５　詳細時刻欄
５６　表枠
６１〜６３　指定行動表示記号
【図１】
2004133700.tif 000004
【図２】
2004133700.tif 000005
【図３】
2004133700.tif 000006
【図４】
2004133700.tif 000007
【図５】
2004133700.tif 000008
【図６】
2004133700.tif 000009
【図７】
2004133700.tif 000010